(57)【要約】    【課題】  ピアノ線、セルロイド板、その他の不正部材の挿入による不正行為を簡単な構造で効果的に防止できるようにする。    【解決手段】  遊技盤５の前側に、その遊技領域１３を視認可能な透明板４５を有する開閉扉６を備え、開閉扉６側に、遊技盤５のガイドレール１４よりも外周側で遊技盤５側へと突出し且つ遊技盤５に装着された飾り部材１６〜１８との間で遊技領域１３への不正部材の挿入を防止するする挿入防止壁４９を設ける。飾り部材１６〜１８には、開閉扉６を閉じたときに挿入防止壁４９が入る凹部２８，３１〜３４，５５を設ける。【選択図】    図２
2008023158.tif 000002
【特許請求の範囲】
【請求項１】
遊技盤（５）の前側に、その遊技領域（１３）を視認可能な透明板（４５）を有する開閉扉（６）を備えた弾球遊技機において、前記開閉扉（６）側に、前記遊技盤（５）のガイドレール（１４）よりも外周側で前記遊技盤（５）側へと突出し且つ前記遊技盤（５）に装着された飾り部材（１６）〜（１８）との間で前記遊技領域（１３）への不正部材の挿入を防止するする挿入防止壁（４９）を設けたことを特徴とする弾球遊技機。
【請求項２】
前記ガイドレール（１４）の外周で前記遊技盤（５）の前面に飾り部材（１６）〜（１８）を装着し、該飾り部材（１６）〜（１８）に、前記開閉扉（６）を閉じたときに前記挿入防止壁（４９）が入る凹部（２８）（３１）〜（３４）（５５）を設けたことを特徴とする請求項１に記載の弾球遊技機。
【請求項３】
前記凹部（２８）（３１）〜（３４）（５５）を前記ガイドレール（１４）の外周側近傍に配置したことを特徴とする請求項１又は２に記載の弾球遊技機。
【発明の詳細な説明】
【技術分野】
【０００１】
本発明は弾球遊技機に関し、遊技盤と開閉扉との間から遊技領域へとピアノ線その他の不正部材を挿入する不正行為を防止できるようにしたものである。
【背景技術】
【０００２】
例えば、パチンコ機は、遊技盤の遊技領域に大入賞手段、普通入賞手段等の各種の入賞手段を配置し、発射手段から発射された遊技球をガイドレールを経て遊技領域へと案内し、その遊技球が入賞手段に入賞したときに、その入賞条件に応じて所定数の遊技球を賞球として払い出すようにしている。
【０００３】
この種のパチンコ機では、遊技盤を前枠に装着する一方、遊技盤の前側を必要に応じて開閉できるように開閉扉を前枠に開閉自在に枢着し、この開閉扉のガラス窓を介して遊技盤の遊技領域を視認できるようにしている。このため開閉扉を閉じたときに前枠との間に隙間が生じるように何らかの不正工作をしておき、その隙間から遊技領域へとピアノ線、セルロイド板その他の不正部材を挿入して、この不正部材により入賞手段を作動させる等の不正行為が行われる惧れがある。
【０００４】
このような不正行為の防止対策として、例えば前枠の前面に、弾性材により構成された不正防止部材を装着し、開閉扉を閉じたときに不正防止部材が開閉扉の裏側に接触して、前枠と開閉扉との間に隙間が発生しないようにしたものがある（特許文献１）。
【特許文献１】特開２００４−２７５２５７号公報
【発明の開示】
【発明が解決しようとする課題】
【０００５】
従来の防止対策は、前枠の前面に不正防止部材を装着すればよいので、構造的に簡単であるという利点がある。しかし、弾性材により構成された不正防止部材を使用しているため、開閉扉に沿ってピアノ線、セルロイド板等を挿入して行けば、不正防止部材がその弾性により変形して、ピアノ線、セルロイド板等が遊技領域に到達する惧れがあり、ピアノ線、セルロイド板等の挿入に対する対策としては万全といい得ない欠点がある。
【０００６】
本発明は、このような従来の問題点に鑑み、ピアノ線、セルロイド板、その他の不正部材の挿入による不正行為を簡単な構造で効果的に防止できる弾球遊技機を提供することを目的とする。
【課題を解決するための手段】
【０００７】
本発明は、遊技盤５の前側に、その遊技領域１３を視認可能な透明板４５を有する開閉扉６を備えた弾球遊技機において、前記開閉扉６側に、前記遊技盤５のガイドレール１４よりも外周側で前記遊技盤５側へと突出し且つ前記遊技盤５に装着された飾り部材１６〜１８との間で前記遊技領域１３への不正部材の挿入を防止するする挿入防止壁４９を設けたものである。
【０００８】
前記ガイドレール１４の外周で前記遊技盤５の前面に飾り部材１６〜１８を装着し、該飾り部材１６〜１８に、前記開閉扉６を閉じたときに前記挿入防止壁４９が入る凹部２８，３１〜３４，５５を設けてもよい。前記凹部２８，３１〜３４，５５を前記ガイドレール１４の外周側近傍に配置してもよい。
【発明の効果】
【０００９】
本発明では、挿入防止壁と飾り部材とによりピアノ線その他の不正部材の遊技領域への挿入を阻止でき、不正部材の遊技領域への挿入による不正行為を簡単な構造で効果的に防止できる。
【発明を実施するための最良の形態】
【００１０】
以下、本発明の各実施例を図面に基づいて詳述する。図１〜図８は本発明をパチンコ機に採用した第１の実施例を例示する。図１において、１は遊技機本体で、矩形枠状の外枠２と、この外枠２の前側に配置された前枠３とを備えている。前枠３はその左右方向の一側で上下一対のヒンジ４を介して外枠２に着脱及び開閉自在に装着されている。
【００１１】
前枠３の上部側には遊技盤５と、この遊技盤５の前側にガラス扉（開閉扉）６とが配置され、ガラス扉６の下側に隣接して前面板７が夫々配置されている。遊技盤５は前枠３の遊技盤装着部８に前側から嵌め込まれ、固定具（図示省略）により着脱自在に固定されている。ガラス扉６、前面板７はヒンジ４と同一側のヒンジ（図示省略）により前枠３に開閉自在に枢支されている。ガラス扉６の下部には発射用の遊技球を貯留する発射球供給皿９が装着されている。前枠３の下部には、余剰球を貯留する余剰球受け皿１０と、発射手段１１の発射ハンドル１２とが夫々設けられている。
【００１２】
遊技盤５には、図４及び図５に示すように、発射手段１１によって発射された遊技球を遊技領域１３へと案内する外ガイドレール１４及び内ガイドレール１５が前面に環状に装着されると共に、その外周側に合成樹脂製の飾り部材１６〜１８が装着されており、ガイドレール１４，１５及びこれと反対側の飾り部材１７により取り囲まれた内側が遊技領域１３となっている。そして、遊技盤５には、その遊技領域１３の上部側に特別図柄、演出画像等を表示する液晶表示手段１９が装着され、また液晶表示手段１９の下側に特別図柄始動手段２０、大入賞手段２１、普通入賞手段２２、その他の遊技部品が配置されている。
【００１３】
各飾り部材１６〜１８はガイドレール１４，１５と略同一高さとなっている。飾り部材１７は遊技領域１３の下側から内ガイドレール１５と反対の一側部を経て、遊技領域１３の上部側に位置する外ガイドレール１４の終端側へと円弧状に配置されている。そして、この飾り部材１７の内周壁１７ａは、ガイドレール１４，１５と略同一高さの円弧状に形成されており、ガイドレール１４，１５と共に遊技領域１３を取り囲んでいる。飾り部材１７には遊技盤５の下部側でガイドレール１４，１５と反対側の隅に、他の部分よりも一段低くなった証紙貼付部２３が平坦状に形成されている。
【００１４】
飾り部材１６は外ガイドレール１４の外側で遊技盤５の他側下部に配置されている。飾り部材１８は飾り部材１７の上端側と飾り部材１６の上側との間で外ガイドレール１４の外側に円弧状に配置されている。なお、飾り部材１８は左上縁部２４、右上縁部２５及び側縁部２６に３分割するか、又は上縁部２４，２５と側縁部２６とに２分割してもよい。飾り部材１６〜１８は一体でもよい。
【００１５】
飾り部材１７には、その下縁部２７の前面側の下端縁に段部２８が左右方向に直線状に形成され、またガイドレール１４と反対側の下側縁部２９の証紙貼付部２３から上側縁部３０の外ガイドレール１４の終端部外側に渡って前面の中間部分に円弧状に凹溝３１，３２が形成されている。飾り部材１８の前面側には、外ガイドレール１４の上縁部２４，２５の一端から側縁部２６の上部分に円弧状に凹溝３３が形成され、この凹溝３３と側縁部２６の下端側との間の内周縁に凹溝３３に連続するように円弧状に段部３４が形成されている。
【００１６】
なお、飾り部材１７，１８の段部２８，３４、凹溝３１，３２，３３は凹部を形成するものであって、その内部は遊技盤５の前面からの高さが略同一となっている。また案内通路３６の上下方向の略中央部と外ガイドレール１４の終端部との間の溝部３３、段部３４は、外ガイドレール１４の外周近傍に近接して設けられている。
【００１７】
外ガイドレール１４の下端と飾り部材１７の下縁部２７との間は、発射手段１１から発射された遊技球がガイドレール１４，１５側へと入る入口部３５となっており、この入口部３５から上側の外ガイドレール１４と内ガイドレール１５との間が遊技球の案内通路３６となっている。
【００１８】
ガラス扉６は遊技領域１３に対応する窓孔４３を有する扉枠４０と、この扉枠４０を裏側から補強する補強板４１と、扉枠４０の前側に装着された化粧カバー４２と、扉枠４０の裏側に窓孔４３に対応して着脱自在に装着されたガラスユニット（透明板ユニット）４４とを備えている。
【００１９】
ガラスユニット４４は図６、図７に示すように、前後所定の間隔を置いて配置された２枚のガラス板（透明板）４５と、このガラス板４５を外周側で保持する保持部材４６とを備え、その保持部材４６に周方向に所定の間隔を置いて一体に形成された取り付け部５２を介してネジ、その他の固定手段により扉枠４０の裏側に着脱自在に固定されている。
【００２０】
保持部材４６は合成樹脂製であって、２枚のガラス板４５に対応して前後両側に形成された一対のガラス受け部４７と、この各ガラス受け部４７の外周から前後方向の反対側に突出する周壁部４８とを一体に有し、環状に構成されている。各ガラス受け部４７には各ガラス板４５の外周部が接着等で固定され、そのガラス板４５の外周を周壁部４８で保護するようになっている。
【００２１】
前後の周壁部４８の内、前側の周壁部４８はガラス板４５の厚さと略同程度の高さであり、裏側の周壁部４８はガラス板４５の厚さよりも大である。この裏側の周壁部４８のガラス板４５よりも裏側に突出する部分が、飾り部材１６〜１８との間でピアノ線、セルロイド板等の不正部材の遊技領域１３への挿入を阻止する挿入防止壁４９となっている。
【００２２】
そして、この挿入防止壁４９は、ガラス扉６を閉じたとき、ガイドレール１４，１５、内周壁１７ａの外周において、その飾り部材１７の段部２８及び溝部３１，３２、飾り部材１８の溝部３３及び段部３４に対応してその内部前面に当接又は近接すると共に、入口部３５の近傍で外ガイドレール１４の外側に配置された飾り部材１６の外周近傍を経て遊技領域１３を取り囲んでいる。挿入防止壁４９は図８に示すように、入口部３５の開口を制限しない程度の突出量となっている。
【００２３】
飾り部材１７，１８の段部２８，３４、溝部３１，３２の内周面、飾り部材１６の外周面１６ａが、例えば図６に示すように、挿入防止壁４９の内側近傍で挿入防止壁４９の後端よりも前側に突出する突出壁５０となっており、これらの突出壁５０と挿入防止壁４９との間に、前後方向に屈曲してピアノ線等の挿入を阻止する屈曲隘路５１が形成されている。
【００２４】
このように構成すれば、単にガイドレール１４，１５側を含む遊技領域１３の全域をガラスユニット４４のガラス板４５を介して視認できるだけでなく、ガラスユニット４４の保持部材４６に一体の挿入防止壁４９がガイドレール１４，１５の外側で飾り部材１７，１８の段部２８，３４、溝部３１，３２等に対応しており、その挿入防止壁４９の内側に飾り部材１６〜１８により形成された突出壁５０があるので、遊技領域１３へとピアノ線その他の部材を挿入しようとしても、挿入防止壁４９及び突出壁５０によってピアノ線等の挿入を阻止することができる。
【００２５】
また挿入防止壁４９はガラスユニット４４の保持部材４６に一体に設けているので、ガラスユニット４４側に設けているにも拘わらず、その構造が非常に簡単であり、容易且つ安価に実施することができる。
【００２６】
図９は本発明の第２の実施例を例示する。図９（Ａ）に溝部３２側を例示するように、挿入防止壁４９の内周側に傾斜案内面４９ａを形成すると共に、挿入防止壁４９の内周に対応して飾り部材１７，１８の突出壁５０に傾斜案内面５０ａを形成してもよい。この場合に、ガラス扉６を閉じるときに、その傾斜案内面４９ａ，５０ａにより挿入防止壁４９と突出壁５０とを案内でき、挿入防止壁４９と段部２８，３４、溝部３１〜３３との隙間を比較的小さくできる。
【００２７】
なお、図９（Ｂ）に段部２８側を夫々例示するように、挿入防止壁４９の内周側に傾斜案内面４９を形成してもよい。
【００２８】
図９（Ｃ）に示すように、挿入防止壁４９の後端部の外周に、前側が返し用の挿入阻止面４９ｂとなり、後側が傾斜案内面４９ａとなった突条５６を周方向に形成してもよい。この場合には、ガラス扉６を閉じるときに傾斜案内面４９ａにより挿入防止壁４９と突出壁５０とを案内でき、また溝部３１〜３３側では挿入阻止面４９ｂにより不正部材の侵入をより確実に阻止できる。
【００２９】
図９（Ｄ）に示すように、挿入防止壁４９の外周に、ガラス扉６を閉じたときに溝部３１〜３３の外周側で飾り部材１７，１８の前面に近接する周方向の突起５７を設けてもよい。
【００３０】
図１０は本発明の第３の実施例を例示する。図１０に示すように飾り部材１６の前面に、挿入防止壁４９に対応して溝部５８を形成してもよい。外ガイドレール１４に近接して配置する場合には、溝部５８に代えて段部を設けてもよい。このようにすれば、ガラス扉６を閉じたときに、挿入防止壁４９が溝部に入るため、他の部分と同様の作用によって不正部材の挿入を防止できる。
【００３１】
図１１、図１２は本発明の第４の実施例を例示する。ガラスユニット４４は、保持部材４６の周溝５４に各ガラス板４５を嵌め込んで保持する構造となっている。そして、この保持部材４６の全周に、外ガイドレール１４、飾り部材１７，１８の外周側で遊技盤５側へと突出する環状の挿入防止壁４９が設けられている。外ガイドレール１４の外側の飾り部材１７，１８には、遊技領域１３を取り囲む周溝５５が外ガイドレール１４等に近接して形成され、ガラス扉６を閉じたときに、挿入防止壁４９の後端縁が周溝５５に嵌合するようになっている。
【００３２】
このように構成しても、挿入防止壁４９をその略全周で飾り部材１７，１８の周溝５５に嵌合させてもよく、この場合にも、挿入防止壁４９によりピアノ線等の遊技領域１３側への挿入を阻止することができる。周溝５５に代替して飾り部材１７，１８の内周側に段部を形成してもよい。
【００３３】
以上、本発明の各実施例について例示したが、本発明はこの実施例に限定されるものではない。例えば、実施例では、開閉扉としてガラス扉６を、複数枚の透明板を保持部材４６で保持した透明板ユニット４４として、ガラス板４５を備えたガラスユニット４４を例示しているが、透明板はガラス板４５以外のものを使用してもよい。またガラス板４５を使用する場合でも、そのガラス板４５が無色透明である必要はなく、遊技領域１３を視認可能なものであれば、有色透明でもよい。
【００３４】
また実施例では、飾り部材１６〜１８の凹部として、段部２８，３４、溝部３１〜３３、周溝５５等を例示しているが、挿入防止壁４９の後端部が嵌合して、挿入防止壁４９との協働作用で不正部材の挿入を阻止し得るものであればよい。
【００３５】
更に挿入防止壁４９は保持部材４６とは別体構造にしてもよいし、扉枠４０に一体又は別体に設けてもよい。また飾り部材１６〜１８には、開閉扉６側から後方に突出する挿入防止壁４９に近接して、その内周側に前側へと突出する突出壁５０があることが望ましい。また挿入防止壁４９の後端部と、遊技盤５又は遊技盤５側の部材とによって、前後方向に屈曲する隘路５１を形成することが望ましい。
【図面の簡単な説明】
【００３６】
【図１】本発明の第１の実施例を示すパチンコ機の正面図である。
【図２】図１のＡ−Ａ矢視拡大断面図である。
【図３】図１のＡ−Ｂ矢視拡大断面図である。
【図４】本発明の第１の実施例を示す遊技盤の正面図である。
【図５】本発明の第１の実施例を示す遊技盤の斜視図である。
【図６】本発明の第１の実施例を示す要部の拡大斜視図である。
【図７】本発明の第１の実施例を示すガラスユニットの正面図である。
【図８】本発明の第１の実施例を示す遊技盤の入口部側の断面図である。
【図９】本発明の第２の実施例を示す要部の拡大断面図である。
【図１０】本発明の第３の実施例を示す遊技盤の斜視図である。
【図１１】本発明の第４の実施例を示すす遊技盤の正面図である。
【図１２】本発明の第４の実施例を示す要部の断面図である。
【符号の説明】
【００３７】
５  遊技盤
６  開閉扉
１３  遊技領域
１４  ガイドレール
１６〜１８  飾り部材
２８，３４  段部
３１〜３３  溝部
４４  透明板ユニット
４５  透明板
４６  保持部材
４９  挿入防止壁
５０  突出壁
【図１】
2008023158.tif 000003
【図２】
2008023158.tif 000004
【図３】
2008023158.tif 000005
【図４】
2008023158.tif 000006
【図５】
2008023158.tif 000007
【図６】
2008023158.tif 000008
【図７】
2008023158.tif 000009
【図８】
2008023158.tif 000010
【図９】
2008023158.tif 000011
【図１０】
2008023158.tif 000012
【図１１】
2008023158.tif 000013
【図１２】
2008023158.tif 000014